(57)【要約】【課題】洗濯機の蓋体において、蓋体の開方向に付勢バネを簡単な取付構成で実現し、開閉の不具合を防ぐとともに、組立の作業性を向上し、さらにデザインを向上する。【解決手段】洗濯機は、本体１１と、本体１１の上部に取り付けられる上部枠体２５と、蓋体２７と、を備える。蓋体２７後方には、蓋蝶番軸３５が設けられる。上部枠体２５後方には、ヒンジ部が形成され、ヒンジ部は蓋蝶番軸３５を受ける軸受けを有する。蓋体２７後方には、ネジ３９により板金３８が固定される。板金３８は、略垂直に折り曲げられた折り曲げ部４０を有し、折り曲げ部４０には貫通孔が形成され、貫通孔には蓋体２７を蝶番バネ３６を軸支するバネ軸３７が挿入さる。ネジ３９は、バネ軸３７の軸方向の両端に位置することで、バネ軸３７が軸方向に移動することを抑制でき、バネ軸３７が蝶番バネ３６及び貫通孔から抜けることを防止できる。【選択図】図６
2018122016.tif 000002
【特許請求の範囲】
【請求項１】
筐体と、
前記筐体の上部に取り付けられ略中央に洗濯物を出し入れする衣類投入口を有する上部枠体と、
前記上部枠体に回動可能に設けられ、前記衣類投入口を開閉可能に覆う蓋体と、を備え、前記蓋体後方には、蓋蝶番軸が設けられ、
前記上部枠体後方には、前記蓋体の回動を支持するヒンジ部が形成され、前記ヒンジ部には前記蓋蝶番軸を受ける軸受けを有し、
前記蓋体後方には、固定部材により板金が固定されており、前記板金は曲げ加工により略垂直に折り曲げられた折り曲げ部を有し、前記折り曲げ部には貫通孔が形成され、前記貫通孔には前記蓋体を開方向に付勢する蝶番バネを軸支するバネ軸が挿入され、前記固定部材は、前記バネ軸の軸方向両端に位置する洗濯機。
【発明の詳細な説明】
【技術分野】
【０００１】
本発明は、洗濯機の蓋体の構成に関するものである。
【背景技術】
【０００２】
従来、洗濯機は、洗濯物出入口を開閉自在に閉塞する蓋体が設けられており、ヒンジ構造により回動自在に支持している。蓋体の操作性を向上させるために、蓋体の開放力を低減させるための蝶番バネを備えている。蝶番バネは、蓋体に形成したヒンジ部に一旦を固定し、他端を洗濯機の上部枠体に取り付けることにより、蓋体に回動力を付勢している（例えば、特許文献１参照）。
【０００３】
図８は、従来の洗濯機の蓋体の分解斜視図、図９は、従来の洗濯機の蓋体の分解斜視図である。
【０００４】
蓋体１０２と上部枠体１０１を取り付ける際は、蓋体１０２の端部に形成されたヒンジ孔１０４ａに上部枠体１０１に形成したヒンジ軸１０５を挿入する。蓋体１０２のヒンジ部１０４に突出部を形成し、突出部に形成した取付け孔１０４ｂに蝶番バネ１０３の一端の係止部１０３ａを挿入し係止するとともに、蝶番バネ１０３の他端の係止部１０３ｂを上部枠体１０１に係止した係止孔１０７ａに挿入して係止している。また、上部枠体１０１には、ヒンジ部１０４が差し込まれる差込孔１０６が形成され、蝶番バネ１０３を支持するための凹部１０７が差込孔１０６に連続して形成されている。
【先行技術文献】
【特許文献】
【０００５】
【特許文献１】特開平６−３１５５９７号公報
【発明の概要】
【発明が解決しようとする課題】
【０００６】
しかしながら、上記従来の構成では、蝶番バネを固定するために、組立時に蝶番バネを自由長の状態から取付状態まで撓ませながら、蓋体の取付け孔と上部枠体の係止孔に取り付ける必要があり、作業性が悪いという課題があった。
【０００７】
本発明は、上記従来の課題を解決するもので、蓋体と上部枠体との組み立てを容易に行えることを目的としている。
【課題を解決するための手段】
【０００８】
本発明は、上記目的を達成するために、筐体と、前記筐体の上部に取り付けられ略中央に洗濯物を出し入れする衣類投入口を有する上部枠体と、前記上部枠体に回動可能に設けられ、前記衣類投入口を開閉可能に覆う蓋体と、を備え、前記蓋体後方には、蓋蝶番軸が設けられ、前記上部枠体後方には、前記蓋体の回動を支持するヒンジ部が形成され、前記ヒンジ部には前記蓋蝶番軸を受ける軸受けを有し、前記蓋体後方には、固定部材により板金が固定されており、前記板金は曲げ加工により略垂直に折り曲げられた折り曲げ部を有し、前記折り曲げ部には貫通孔が形成され、前記貫通孔には前記蓋体を開方向に付勢する蝶番バネを軸支するバネ軸が挿入され、前記固定部材は、前記バネ軸の軸方向両端に位置する構成とした。
【０００９】
これにより、簡単な構成でバネ軸が蝶番バネから抜けることを防止できるとともに、蓋体と上部枠体との組み立てを容易に行うことができる。
【発明の効果】
【００１０】
本発明の洗濯機は、簡単な構成でバネ軸が蝶番バネから抜けることを防止できるとともに、蓋体と上部枠体との組み立てを容易に行うことができる。
【図面の簡単な説明】
【００１１】
【図１】本発明の形態１における洗濯機の縦断面図
【図２】本実施の形態１における洗濯機の上部枠体と蓋体の要部前後縦断面図
【図３】本実施の形態１における洗濯機の上部枠体と蓋体の上面図
【図４】本実施の形態１における洗濯機の下部蓋枠体の裏面図
【図５】図４の要部拡大図
【図６】図５のＡ−Ａ断面図
【図７】本実施の形態１における洗濯機の上部枠体と下部蓋枠体とが取り付けられた状態での側面図
【図８】従来の洗濯機の蓋体の分解斜視図
【図９】従来の洗濯機の蓋体の分解斜視図
【発明を実施するための形態】
【００１２】
第１の発明は、筐体と、前記筐体の上部に取り付けられ略中央に洗濯物を出し入れする衣類投入口を有する上部枠体と、前記上部枠体に回動可能に設けられ、前記衣類投入口を開閉可能に覆う蓋体と、を備え、前記蓋体後方には、蓋蝶番軸が設けられ、前記上部枠体後方には、前記蓋体の回動を支持するヒンジ部が形成され、前記ヒンジ部には前記蓋蝶番軸を受ける軸受けを有し、前記蓋体後方には、固定部材により板金が固定されており、前記板金は曲げ加工により略垂直に折り曲げられた折り曲げ部を有し、前記折り曲げ部には貫通孔が形成され、前記貫通孔には前記蓋体を開方向に付勢する蝶番バネを軸支するバネ軸が挿入され、前記固定部材は、前記バネ軸の軸方向両端に位置することにより、簡単な構成でバネ軸が蝶番バネから抜けることを防止できるとともに、蓋体と上部枠体との組み立てを容易に行うことができる。
【００１３】
以下、本発明の実施の形態について、図面を参照しながら説明する。また、この実施の形態によって本発明が限定されるものではない。
【００１４】
（実施の形態１）
図１は本発明の実施の形態１における洗濯機の縦断面図である。
【００１５】
図１において、洗濯機の本体１１（筺体）は、内部に水槽１３をサスペンション１２により懸垂防振支持している。水槽１３の内部には、洗濯槽と脱水槽を兼ねた洗濯兼脱水槽１５が回転可能に設けられている。洗濯兼脱水槽１５の内底部には、パルセータ１９が回転自在に配設されている。
【００１６】
水槽１３の外底部には、伝達機構部２０が配設されている。伝達機構部２０は、内部に洗濯時の減速ギア（図示せず）、洗濯・脱水軸１４の切り換えクラッチ（図示せず）、および洗濯兼脱水槽１５を停止するためのブレーキ（図示せず）を内蔵している。
【００１７】
水槽１３の外底部にはモータ２１が取り付けられており、モータ２１にはモータ側プーリ２２が取り付けられている。洗濯・脱水軸１４にはメカ側プーリ２３が連結しており、モータ側プーリ２２とメカ側プーリ２３は、ベルト２４により互いに連結されている。上記構成により、モータ２１の動力は、ベルト２４を介して洗濯・脱水軸１４に伝達する。また、切り替えクラッチを制御することで、モータ２１を用いて、パルセータ１９が回転したり、パルセータ１９および洗濯兼脱水槽１５を同時に回転したりしている。
【００１８】
洗濯機の本体１１の上部には、上部枠体２５を配している。上部枠体２５の略中央部には、洗濯兼脱水槽１５と外部とを連通するための洗濯物投入取出口２６（衣類投入口）を形成し、洗濯物投入取出口２６は蓋体２７にて開閉自在に覆われている。上部枠体２５の後方側の上部には、制御装置２８が配設されており、制御装置２８の上部は、各種の入力設定を行ない、設定内容を表示する操作パネル２９により覆われている。上部枠体２５の後方側の内部には、電磁力により開閉可能な給水弁３０や注水ケース３１等を有している。
【００１９】
制御装置２８は、モータ２１等を制御し、洗い、すすぎ、脱水の一連の工程を逐次制御する制御手段（図示せず）を有している。
【００２０】
水槽１３の外底部には、加熱水生成装置３２が取り付けられている。加熱水生成装置３２には、洗濯水を加熱するヒータ（図示せず）等が設けられている。水槽１３と加熱水生成装置３２は、流入経路（図示せず）及び流出経路（図示せず）を介して連通接続されている。
【００２１】
図２は、本実施の形態１における洗濯機の上部枠体と蓋体の要部前後縦断面図、図３は、本実施の形態１における洗濯機の上部枠体と蓋体の上面図、図４は、本実施の形態１における洗濯機の下部蓋枠体の裏面図、図５は、図４の要部拡大図、図６は、図５のＡ−Ａ断面図、図７は、本実施の形態１における洗濯機の上部枠体と下部蓋枠体とが取り付けられた状態での側面図である。
【００２２】
図２に示すように、蓋体２７は、洗濯物投入取出口２６を覆うように開閉可能に設けられており、前方へ向けて下方に傾斜している。図２、図３に示すように、蓋体２７は、上部を構成する上部蓋枠体２７ａと、上部蓋枠体２７ａの前部、後部、及び両側部に下方から取り付けられ縦断面において略凹状形状の下部蓋枠体２７ｂと、ガラス板２７ｃとから構成される。
【００２３】
図４に示すように、下部蓋枠体２７ｂの後方両側には、蓋蝶番軸３５が設けられている。上部枠体２５の後方には、蓋体２７の回動を支持するヒンジ部（図示せず）が設けられている。ヒンジ部には、蓋蝶番軸３５を受ける軸受け部（図示せず）が形成されており、蓋蝶番軸３５が軸受け部に挿入支持されることにより、蓋体２７は、上部枠体２５に対して回動自在に開閉できる。
【００２４】
図４〜図６に示すように、下部蓋枠体２７ｂの裏側後方では、下部蓋枠体２７ｂと板金３８とがネジ３９（固定部材）により締結固定されている。板金３８は、曲げ加工により略垂直に折り曲げられた折り曲げ部４０が複数箇所に形成されている。折り曲げ部４０には貫通孔（図示せず）が形成され、貫通孔には蝶番バネ３６を軸支するバネ軸３７が挿入される。蝶番バネ３６は、蓋体２７を開方向に付勢する。ネジ３９は、バネ軸３７の軸方向両端に配設されている。
【００２５】
上記構成により、バネ軸３７は、貫通孔に挿入支持されるとともに、ネジ３９のネジ頭３９ｂによって、バネ軸３７が軸方向に移動することを抑制している。このため、バネ軸３７が貫通孔及び蝶番バネ３６から外れることを防止できる。従来構成では、バネ軸に溝を加工してＥリングを嵌めるなどする必要があったが、本実施の形態では、このようなことをする必要がなく、少ない工程で容易にバネ軸３７の移動を抑制できる。
【００２６】
蓋体２７と上部枠体２５とを組み立てる際は、蓋蝶番軸３５を上部枠体２５の軸受け部に接続するとともに、蝶番バネ３６の一端を上部枠体２５後方のバネ挿入孔（図示せず）
に挿入する。蝶番バネ３６の他端は、下部蓋枠体２７ｂに固定されている。このため、従来構成のように蝶番バネを自由長の状態から取付状態まで撓ませながら、上部枠体の係止孔と蓋体の取付け孔に取り付ける不安定な作業が必要なく、容易に組み立てることができる。また、組み立て途中に蝶番バネと上部枠体とが擦れ、上部枠体が傷付く虞を低減できる。
【００２７】
なお、本実施の形態では、蓋体２７と板金３８とをネジ締結で固定する構成を説明したが、本発明はこれに限られず、他の方法で固定してもよい。
【００２８】
また、本実施の形態は、蝶番バネ３６及びバネ軸３７をそれぞれ２つ設ける構成で説明したが、本発明はこれに限られず、蝶番バネ３６及びバネ軸３７をそれぞれ１つで構成し、バネ軸３７の両端にネジ３９を配設しても同様の効果を得ることができる。
【００２９】
また、本発明は二槽式洗濯機で構成されていてもよい。
【産業上の利用可能性】
【００３０】
以上のように、本発明にかかる洗濯機は、洗濯機は、洗濯機の蓋体において、蓋体の開方向に付勢バネを簡単な取り付け構成で実現できる洗濯機として有用である。
【符号の説明】
【００３１】
１１  本体（筐体）
２５  上部枠体
２６  洗濯物投入取出口（衣類投入口）
２７  蓋体
３５  蓋蝶番軸
３６  蝶番バネ
３７  バネ軸
３８  板金
３９  ネジ（固定部材）
４０  折り曲げ部
【図１】
2018122016.tif 000003
【図２】
2018122016.tif 000004
【図３】
2018122016.tif 000005
【図４】
2018122016.tif 000006
【図５】
2018122016.tif 000007
【図６】
2018122016.tif 000008
【図７】
2018122016.tif 000009
【図８】
2018122016.tif 000010
【図９】
2018122016.tif 000011